(57)【要約】【課題】通常は幼児の足を包んでいるが、場合に応じて幼児の足を簡単に出すことができる靴下の着脱可能な靴下付き幼児服を提供する。【解決手段】靴下３の足挿入口６が脚部４の下端部分に縫い付けられた縫い付け部７と、脚部４の下端部分に縫い付けることなく脚部と引き離し可能となっている非縫い付け部８とを有し、非縫い付け部８と脚部４の下端部分とに相互に係脱可能な係合手段９が取り付けられ、脚部４の外面に靴下３を収納可能な収納袋１１が縫い付けられる。【選択図】図３
0003185320.tif 000002
【実用新案登録請求の範囲】
【請求項１】
ズボンの一対の脚部の下端部分のそれぞれに靴下が取り付けられた幼児服であって、
前記靴下の足挿入口が前記脚部の下端部分に縫い付けられた縫い付け部と、前記脚部の下端部分に縫い付けることなく脚部と引き離し可能となっている非縫い付け部とを有しており、
前記非縫い付け部と前記脚部の下端部分とに相互に係脱可能な係合手段が取り付けられ、
前記脚部の外面に前記靴下を収納可能な収納袋が縫い付けられていることを特徴とする靴下の着脱可能な靴下付き幼児服。
【請求項２】
請求項１記載の靴下付き幼児服であって、
前記縫い付け部は前記足挿入口の後側に設けられ、前記収納袋は前記脚部の後側の外面に設けられていることを特徴とする靴下の着脱可能な靴下付き幼児服。
【請求項３】
請求項１または２記載の靴下付き幼児服であって、
前記係合手段がホック、釦または面ファスナーであることを特徴とする靴下の着脱可能な靴下付き幼児服。
【考案の詳細な説明】
【技術分野】
【０００１】
本考案は、靴下の着脱可能な靴下付き幼児服に係り、より詳細には、ズボンに靴下が一体に取り付けられた幼児服であって、しかも靴下を着用したり、脱いだりすることができる靴下付き幼児服に関する。
【背景技術】
【０００２】
幼児服として、幼児へ着用させる際の保護者の便宜性を考慮してズボンに靴下を一体に取り付けた靴下付き幼児服が開発されている。例えば、特許文献１及び特許文献２参照。
【０００３】
特許文献１の幼児服は、伸縮し易い生地によって形成した筒状布を靴下の足挿入口に縫い付け、この筒状布をズボンの脚部の下端部分に縫い付けた構造となっており、これにより幼児の足を靴下に差し込み易くしている。
特許文献２の幼児服は、ズボンの脚部に丈用ゴムを取り付けると共に靴下のつなぎ部分に足首用ゴムを取り付け、この足首用ゴムと丈用ゴムとを縫い付けた構造とするものである。これにより幼児の足の動きに靴下を円滑に追従させることが可能となっている。
【先行技術文献】
【特許文献】
【０００４】
【特許文献１】実用新案登録第３０７４７１６号公報
【特許文献２】特開２００４−３２３９８４号公報
【考案の概要】
【考案が解決しようとする課題】
【０００５】
しかしながら、上述した従来の靴下付き幼児服は、いずれも幼児の足を包み込むことを主眼とするものであって、幼児が足を出す自由度がないものとなっている。このため幼児の足を洗う場合や足を医者に診せる場合、さらには幼児から靴下を脱ぎたい要求がある場合には、幼児服の全体を脱がす必要があり、面倒で利便性の小さなものとなっている。
【０００６】
本考案は、このような事情を考慮してなされたものであって、通常は幼児の足を包んでいるが、場合に応じて幼児の足を簡単に出すことができる靴下付き幼児服を提供することを目的とする。
【課題を解決するための手段】
【０００７】
本考案による靴下の着脱可能な靴下付き幼児服は、ズボンの一対の脚部の下端部分のそれぞれに靴下が取り付けられた幼児服であって、前記靴下の足挿入口が前記脚部の下端部分に縫い付けられた縫い付け部と、前記脚部の下端部分に縫い付けることなく脚部と引き離し可能となっている非縫い付け部とを有しており、前記非縫い付け部と前記脚部の下端部分とに相互に係脱可能な係合手段が取り付けられ、前記脚部の外面に前記靴下を収納可能な収納袋が縫い付けられていることを特徴とする。
【０００８】
この場合、前記縫い付け部は前記足挿入口の後側に設けられ、前記収納袋は前記脚部の後側の外面に設けられていることが好ましい。
また、前記係合手段がホック、釦または面ファスナーであることが好ましい。
【考案の効果】
【０００９】
本考案では、係合手段を係合させることにより靴下がズボンの脚部の下端部分に連通して取り付けられた状態となるため、ズボンを着用することにより靴下が幼児の足を包むことができる。これに対し係合手段を解除することにより、非縫い付け部がズボンの脚部と引き離されるため、靴下を脱がした状態とすることができる。これにより、幼児服の全体を脱がすことなく、幼児の足を出すことができ、場合に応じた対応が可能となる。
【００１０】
また、非縫い付け部がズボンの脚部から引き離された状態では、ズボンの脚部の外面に縫い付けた収納袋内に靴下を収納することができ、この収納によって幼児服着用時に靴下が邪魔にならないばかりか、靴下が足に引っ掛かることがなく、引っ掛かりによる幼児の転倒を防止でき安全となる。
【図面の簡単な説明】
【００１１】
【図１】本考案の一実施形態である靴下の着脱可能な靴下付き幼児服を示す正面図である。
【図２】（ａ）は靴下の使用時の側面図、（ｂ）は靴下の不使用時の側面図である。
【図３】（ａ）は靴下の使用時の断面図、（ｂ）は係合手段を解除した状態の断面図、（ｃ）は靴下を収納した状態の断面図である。
【考案を実施するための形態】
【００１２】
この実施形態の靴下の着脱可能な靴下付き幼児服１は、図１に示すようにズボン２と、ズボン２に取り付けられた靴下３とを有している。靴下３はズボン２の一対の脚部４の下端部分のそれぞれに取り付けられている。
【００１３】
靴下３は木綿糸、毛糸、アクリル糸等の樹脂製糸を袋状に編むことにより形成されており、折り畳み等が可能な可撓性を有している。図３に示すように、靴下３は幼児の足を包む本体部５と、幼児の足が本体部５に挿入される足挿入口６とが一体となることにより形成されている。足挿入口６はズボンの脚部４の下端部分に設けられており、これにより本体部５の内部と脚部４の内部とが連通した状態となる。
【００１４】
図３（ａ）で示すように、足挿入口６は筒状となっており、脚部４の下端部分に縫い付けられる縫い付け部７と、脚部４の下端部分に縫い付けられていない非縫い付け部８とが円周上で連設した状態となっている。縫い付け部７は足挿入口６の後側で脚部４の下端部分に縫い付けられる。非縫い付け部８は足挿入口６における縫い付け部７を除く部分となっており、図３（ｂ）で示すように脚部４と引き離し可能となっている。
【００１５】
非縫い付け部８と脚部４の下端部分の前側には、相互に係脱可能な係合手段９が取り付けられている。係合手段９は脚部４の下端部分に取り付けられた第１部材９ａと、非縫い付け部８の対応部位に取り付けられた第２部材９ｂとによって形成されており、第１部材９ａと第２部材９ｂとが係合することにより非縫い付け部８が脚部４の下端部分の前側に取り付けられ、これにより足挿入口６が脚部４の下端部分に連結され、靴下３の全体が脚部４の下端部分に取り付けられた状態となる。一方、第１部材９ａと第２部材９ｂとの係合が外れることにより、足挿入口６における非縫い付け部８が脚部４と分離され、非縫い付け部８が脚部４と引き離し可能となる。
【００１６】
かかる係合手段９としては、ホック、釦または面ファスナーのいずれかを使用することができる。係合手段９がホックまたは釦の場合においては、図１および図２に示すように脚部４の下端部分の前側に露出するように第１部材９ａを取り付けることにより、靴下３を脚部４の下端部分に連結する際の目安とすることができる。
【００１７】
ズボン２の一対の脚部４の下部のそれぞれには、収納袋１１が取り付けられている。収納袋１１は網目体、布体等の可撓性材料により形成されるものであり、上端部分１１ａが折り曲げられ、この上端部分１１ａが脚部４の外面に縫い付けられて脚部４の外面に取り付けられる。このような収納袋１１は下端部分１１ｂが開口しており、この下端部分１１ｂの開口部分から靴下３を収納することができる。
【００１８】
収納袋１１は脚部４における後側の外面に設けられるものであり、これにより収納袋１１は靴下３の縫い付け部７が縫い付けられている同じ側に設けられる。このように靴下３と同じ側に設けられることにより靴下３を円滑に収納することができる。
【００１９】
次に、この実施形態の作用を説明する。図２（ａ）及び図３（ａ）は、係合手段９の第１部材９ａ及び第２部材９ｂを係合させることにより靴下３をズボン２の各脚部に一体に取り付けた状態を示す。この状態では、脚部４に足を通すことにより、幼児の足が靴下３内に入り込み、靴下３によって幼児の足を包むことができる。
【００２０】
図３（ｂ）は係合手段９の第１部材９ａと第２部材９ｂとの係合を解除した状態を示す。係合手段９の係合解除により、靴下３の足挿入口６における非縫い付け部８が脚部４と分離されて脚部４から引き離される。このとき、足挿入口６の縫い付け部７が脚部４に縫い付けられているため、靴下３の全体が脚部４から外れることなく、靴下３は脚部４から垂れ下がった状態となる。この状態では脚部４の下端部分が開口された状態となる。
【００２１】
図２（ｂ）及び図３（ｃ）は、足挿入口６における非縫い付け部８が脚部４から引き離された状態に対し、靴下３の全体を収納袋１１に収納した状態を示す。収納袋１１への靴下３の収納により、靴下３が邪魔にならないため、脚部４に通した足を脚部４から抜け出させることができる。図２（ｂ）において、符号２０は脚部４から抜け出た幼児の足を示す。
【００２２】
このような実施形態では、係合手段９を係合させることにより靴下３が脚部４の下端部分に連通して取り付けられた状態となるため、ズボン２を着用することにより靴下３が幼児の足を包むことができる。また、係合手段９を解除することにより、非縫い付け部８がズボン２の脚部４と引き離されるため、靴下３を脱がした状態とすることができる。これにより、幼児服の全体を脱がすことなく、幼児の足を出すことができ、場合に応じた対応ができ、利便性が向上する。また、非縫い付け部８がズボン２の脚部４から引き離された状態では、脚部４の外面に縫い付けた収納袋１１内に靴下３を収納することができ、この収納によって幼児服の着用時に靴下３が邪魔にならないばかりか、幼児服の着用状態では靴下３が足に引っ掛かることがなく、引っ掛かりによる幼児の転倒を防止でき、安全性が向上する。
【符号の説明】
【００２３】
１    靴下の着脱可能な靴下付き幼児服
２    ズボン
３    靴下
４    脚部
５    本体部
６    足挿入口
７    縫い付け部
８    非縫い付け部
９    係合手段
１１    収納袋
【図１】
0003185320.tif 000003
【図２】
0003185320.tif 000004
【図３】
0003185320.tif 000005